(57)【要約】【課題】本発明はアルカリ性土壌の回復設備を開示した。【解決手段】本発明はアルカリ性土壌の回復設備を公示し、主体を含み、前記主体の中には洗浄チャンバが設置され、前記洗浄チャンバの中には洗浄装置が設置され、前記洗浄チャンバの左壁の中には前記洗浄チャンバと連通した旋転チャンバが設置され、前記旋転チャンバの中には回転可能な回転管が五つ設置され、本発明はシンプルな構成と、簡単な操作方法を有し、メンテナンスも便利であり、当該設備を利用し、効率よく地面表層の土壌の塩分量を下げられ、且つ自動的により深い位置にある土壌を掘り出し、土層を緩められ、作業員の負担を減らし、土壌洗浄の効率を上げ、従って、当該設備には高い使用と普及価値がある。【選択図】図１
2020182928.tif 000002
【特許請求の範囲】
【請求項１】
正面視で、主体を含み、前記主体の中には洗浄チャンバが設置され、前記洗浄チャンバの中には洗浄装置が設置され、
前記洗浄チャンバの左壁の中には前記洗浄チャンバと連通した旋転チャンバが設置され、前記旋転チャンバの中には回転可能な回転管が五つ設置され、ここで一つの前記回転管を例として詳しく説明し、前記回転管の中には土壌を輸送できる輸送チャンバが設置され、前記輸送チャンバの中にはアルカリ性土壌の表面土壌を前記洗浄装置の中に輸送できる輸送装置が設置され、前記洗浄チャンバの右壁の中には伝動チャンバが設置され、前記伝動チャンバの中には動力を伝達できる伝動装置が設置され、前記洗浄チャンバの中には塩分量を下げられた土壌を送り出せる送出装置が設置され、
前記伝動チャンバの頂壁の中には転換チャンバが設置され、前記転換チャンバの右壁の中には動力チャンバが設置され、前記動力チャンバの中には動力を生み出せる動力装置が設置され、前記動力チャンバの右壁の中にはスライドチャンバが設置され、前記スライドチャンバの中には土掘り装置が五つ設置され、
前記主体の中には収納装置が設置され、非作動状態に前記輸送装置と前記土掘り装置とを収納させるのに便利であり、
前記洗浄チャンバの底壁の中には前後対称の進行チャンバが設置され、ここで前側の前記進行チャンバを例として詳しく説明し、前記進行チャンバの中には当該設備を進行させることができる進行装置が設置されていることを特徴とするアルカリ性土壌の回復設備。
【請求項２】
前記進行装置は前記進行チャンバの中には設置された左右対称の進行軸を含み、左右両側の前記進行軸はチェーンの伝動によって動力を伝達でき、また、左側の前記進行軸のうち前記進行チャンバから離れた端と前記進行チャンバの内壁の中にある双方向変速器とは伝動可能に連結され、前記双方向変速器と前記進行チャンバの内壁の中にある進行機とは伝動可能に連結され、前記進行軸のうち前記進行チャンバに近接した端には設備を駆動して前進させる進行輪が設置され、前記進行チャンバの中には設備の重量を負うことができる荷重輪が七つ設置され、前記進行輪と前記荷重輪との間には設備の圧力を下げることができる履帯が伝動可能に設置されていることを特徴とする請求項１に記載のアルカリ性土壌の回復設備。
【請求項３】
前記動力装置は前記動力チャンバの中に設置された動力軸を含み、前記動力軸の右端と前記動力チャンバの右壁の中に固定的に設置された土壌洗浄機とは伝動可能に連結され、前記動力軸の外壁には前記動力チャンバの中に位置した伝動傘歯車が設置され、前記動力軸の左端には前記転換チャンバの中に位置した動力傘歯車が設置され、前記動力軸の外壁には前記転換チャンバの中に位置した駆動歯車が設置され、
前記伝動装置は前記伝動チャンバの中に設置された伝動軸を含み、前記伝動軸の頂端には前記動力チャンバの中に位置し、且つ前記伝動傘歯車と噛み合った上傘歯車が設置され、前記伝動軸の外壁には前記伝動チャンバの中に位置した駆動プーリが設置され、前記伝動軸の底端には前記伝動チャンバの中に位置した下傘歯車が設置されていることを特徴とする請求項１に記載のアルカリ性土壌の回復設備。
【請求項４】
前記輸送装置は前記輸送チャンバの中に設置された輸送軸を含み、前記輸送軸の外壁には表層土壌を掘り出し、且つ土壌を輸送できる輸送羽根が設置され、前記輸送軸のうち前記輸送チャンバから離れた端には前記旋転チャンバの中に位置した副歯車が設置され、前記旋転チャンバの中には従動軸が設置され、前記従動軸のうち前記旋転チャンバに近接した端には前記副歯車と噛み合える正歯車が設置され、前記転換チャンバの中には駆動軸が設置され、前記駆動軸の右端には前記駆動歯車と噛み合った従動歯車が設置され、前記駆動軸と前記従動軸とはヒンジで連結されていることを特徴とする請求項１に記載のアルカリ性土壌の回復設備。
【請求項５】
前記洗浄装置は前記洗浄チャンバの中に設置された空心軸を含み、前記空心軸の底端には土壌溶液を正方向で攪拌できる第一攪拌棒が設置され、前記空心軸の頂端には前記転換チャンバの中に位置し、且つ前記動力傘歯車と噛み合った正傘歯車が設置され、前記空心軸の中には中心軸が回転可能に設置され、前記中心軸の底端には前記洗浄チャンバの中に位置し、且つ逆方向で土壌溶液を攪拌できる第二攪拌棒が設置され、前記中心軸の頂端には前記転換チャンバの中に位置し、且つ前記動力傘歯車と噛み合った負傘歯車が設置されていることを特徴とする請求項１又は請求項４に記載のアルカリ性土壌の回復設備。
【請求項６】
前記送出装置は前記洗浄チャンバの中に設置された送出軸を含み、前記送出軸の外壁には前記洗浄チャンバを閉鎖でき、且つ土壌を前記洗浄チャンバの外壁に送り出せる送出羽根が設置され、前記洗浄チャンバのうち前記伝動チャンバに近接した側の内壁の中にはベルトチャンバが設置され、前記送出軸のうち前記ベルトチャンバに近接した端には前記ベルトチャンバの中に位置した副プーリが設置され、前記伝動チャンバの中には回転軸が設置され、前記回転軸のうち前記伝動チャンバから離れた端には前記ベルトチャンバの中に位置した正プーリが設置され、前記正プーリと前記副プーリとの間には送出ベルトが伝動可能に設置され、前記回転軸のうち前記伝動チャンバに近接した端には前記下傘歯車と噛み合った副傘歯車が設置されていることを特徴とする請求項１又は請求項５に記載のアルカリ性土壌の回復設備。
【請求項７】
前記土掘り装置は前記スライドチャンバの中に設置された延伸軸を含み、前記延伸軸の底端には前記伝動チャンバの中に位置した従動プーリが設置され、前記従動プーリと前記駆動プーリとの間には伝動ベルトが伝動可能に設置され、前記延伸軸の頂端には左歯車が設置され、前記スライドチャンバの中には土掘り軸が設置され、前記土掘り軸の外壁には前記左歯車と噛み合える右歯車が設置され、前記土掘り軸の外壁には前記スライドチャンバの外壁の外の位置した土掘り羽根が設置されていることを特徴とする請求項１に記載のアルカリ性土壌の回復設備。
【請求項８】
前記収納装置は前記スライドチャンバの中にスライド可能に設置されたスライドブロックを含み、前記土掘り軸は前記スライドブロックの底端に回転可能に設置され、前記スライドチャンバの中には前記スライドブロックの上下スライドを制御できるネジボルトが設置され、前記ネジボルトと前記スライドブロックとはネジ山によって連結され、前記ネジボルトの頂端と前記スライドチャンバの頂壁の中に固定的に設置されたスライドモータとは伝動可能に連結され、
前記旋転チャンバの中には前記回転管の回転を制御できる旋転軸が設置され、前記旋転軸の後端と前記回転管とは固定的に連結され、前記旋転軸の前端には従傘歯車が設置され、前記旋転チャンバの中には収納軸が設置され、前記収納軸の底端と前記旋転チャンバの底壁の中に固定的に設置された回転モータとは伝動可能に連結され、前記収納軸の頂端には前記従傘歯車と噛み合った主傘歯車が設置されていることを特徴とする請求項４又は請求項７に記載のアルカリ性土壌の回復設備。
【請求項９】
前記土壌洗浄機は発動機又は油圧モータによって前記動力軸の回転を駆動でき、
前記進行機は発動機又は油圧モータによって前記双方向変速器の回転を駆動できることを特徴とする請求項２又は請求項３に記載のアルカリ性土壌の回復設備。
【発明の詳細な説明】
【技術分野】
【０００１】
本発明は土地改良分野を取り上げ、具体的にはアルカリ性土壌の回復設備である。
【背景技術】
【０００２】
アルカリ性土壌とは塩分を多く含み、作物が正常に成長することに影響する土地であり、全球においてアルカリ性土壌の面積が広く、土地の利用率を大きく下げてしまう。既存するアルカリ性土壌の改良方法のほとんどが人工で点滴灌漑設備を敷設することであり、水流で土を洗い、塩分を中和し、しかし、この方法は前記作業が繁雑で、時間がかかり、労働強度も強い。本発明の装置は上記の問題を解決できる。
【先行技術文献】
【特許文献】
【０００３】
【特許文献１】中国特許出願公開第１０９５６５９８７号明細書
【発明の概要】
【発明が解決しようとする課題】
【０００４】
本発明はアルカリ性土壌の回復設備を提供し、既存技術にある上記の欠点を解消することを目的とする。
【課題を解決するための手段】
【０００５】
本発明のアルカリ性土壌の回復設備は、主体を含み、前記主体の中には洗浄チャンバが設置され、前記洗浄チャンバの中には洗浄装置が設置され、前記洗浄チャンバの左壁の中には前記洗浄チャンバと連通した旋転チャンバが設置され、前記旋転チャンバの中には回転可能な回転管が五つ設置され、ここで一つの前記回転管を例として詳しく説明し、前記回転管の中には土壌を輸送できる輸送チャンバが設置され、前記輸送チャンバの中にはアルカリ性土壌の表面土壌を前記洗浄装置の中に輸送できる輸送装置が設置され、それにより、土壌の塩分量を下げるに便利であり、また、五つの前記輸送装置は歯車によって動力を伝達でき、前記洗浄チャンバの右壁の中には伝動チャンバが設置され、前記伝動チャンバの中には動力を伝達できる伝動装置が設置され、前記洗浄チャンバの中には塩分量を下げられた土壌を送り出せる送出装置が設置され、それにより、前記洗浄チャンバの容積利用率を高め、前記伝動チャンバの頂壁の中には転換チャンバが設置され、前記転換チャンバの右壁の中には動力チャンバが設置され、前記動力チャンバの中には動力を生み出せる動力装置が設置され、前記動力チャンバの右壁の中にはスライドチャンバが設置され、前記スライドチャンバの中には土掘り装置が五つ設置され、前記伝動装置が動力を前記土掘り装置の中に伝達し、前記土掘り装置の回転を連動させ、より深いところにある土壌を掘り出し、徹底的な改良作業に便利であり、また、五つの前記土掘り装置は歯車によって動力を伝達でき、前記主体の中には収納装置が設置され、非作動状態に前記輸送装置と前記土掘り装置とを収納させるのに便利であり、前記洗浄チャンバの底壁の中には前後対称の進行チャンバが設置され、ここで前側の前記進行チャンバを例として詳しく説明し、前記進行チャンバの中には当該設備を進行させることができる進行装置が設置されている。
【０００６】
優選的に、前記進行装置は前記進行チャンバの中には設置された左右対称の進行軸を含み、左右両側の前記進行軸はチェーンの伝動によって動力を伝達でき、また、左側の前記進行軸のうち前記進行チャンバから離れた端と前記進行チャンバの内壁の中にある双方向変速器とは伝動可能に連結され、前記双方向変速器と前記進行チャンバの内壁の中にある進行機とは伝動可能に連結され、前記進行軸のうち前記進行チャンバに近接した端には設備を駆動して前進させる進行輪が設置され、前記進行チャンバの中には設備の重量を負うことができる荷重輪が七つ設置され、前記進行輪と前記荷重輪との間には設備の圧力を下げることができる履帯が伝動可能に設置されている。
【０００７】
優選的に、前記動力装置は前記動力チャンバの中に設置された動力軸を含み、前記動力軸の右端と前記動力チャンバの右壁の中に固定的に設置された土壌洗浄機とは伝動可能に連結され、前記動力軸の外壁には前記動力チャンバの中に位置した伝動傘歯車が設置され、前記動力軸の左端には前記転換チャンバの中に位置した動力傘歯車が設置され、前記動力軸の外壁には前記転換チャンバの中に位置した駆動歯車が設置され、
前記伝動装置は前記伝動チャンバの中に設置された伝動軸を含み、前記伝動軸の頂端には前記動力チャンバの中に位置し、且つ前記伝動傘歯車と噛み合った上傘歯車が設置され、前記伝動軸の外壁には前記伝動チャンバの中に位置した駆動プーリが設置され、前記伝動軸の底端には前記伝動チャンバの中に位置した下傘歯車が設置され、
前記伝動装置は前記動力装置が生み出した動力を前記送出装置と前記土掘り装置との中に伝達できる。
【０００８】
優選的に、前記輸送装置は前記輸送チャンバの中に設置された輸送軸を含み、前記輸送軸の外壁には表層土壌を掘り出し、且つ土壌を輸送できる輸送羽根が設置され、前記輸送軸のうち前記輸送チャンバから離れた端には前記旋転チャンバの中に位置した副歯車が設置され、前記旋転チャンバの中には従動軸が設置され、前記従動軸のうち前記旋転チャンバに近接した端には前記副歯車と噛み合える正歯車が設置され、前記転換チャンバの中には駆動軸が設置され、前記駆動軸の右端には前記駆動歯車と噛み合った従動歯車が設置され、前記駆動軸と前記従動軸とはヒンジで連結されている。
【０００９】
優選的に、前記洗浄装置は前記洗浄チャンバの中に設置された空心軸を含み、前記空心軸の底端には土壌溶液を正方向で攪拌できる第一攪拌棒が設置され、前記空心軸の頂端には前記転換チャンバの中に位置し、且つ前記動力傘歯車と噛み合った正傘歯車が設置され、前記空心軸の中には中心軸が回転可能に設置され、前記中心軸の底端には前記洗浄チャンバの中に位置し、且つ逆方向で土壌溶液を攪拌できる第二攪拌棒が設置され、前記中心軸の頂端には前記転換チャンバの中に位置し、且つ前記動力傘歯車と噛み合った負傘歯車が設置され、前記第二攪拌棒と前記第一攪拌棒とは同期的に、且つ反対した方向へ回転し、それにより、土壌の塩分量を充分に減少させる。
【００１０】
優選的に、前記送出装置は前記洗浄チャンバの中に設置された送出軸を含み、前記送出軸の外壁には前記洗浄チャンバを閉鎖でき、且つ土壌を前記洗浄チャンバの外壁に送り出せる送出羽根が設置され、前記洗浄チャンバのうち前記伝動チャンバに近接した側の内壁の中にはベルトチャンバが設置され、前記送出軸のうち前記ベルトチャンバに近接した端には前記ベルトチャンバの中に位置した副プーリが設置され、前記伝動チャンバの中には回転軸が設置され、前記回転軸のうち前記伝動チャンバから離れた端には前記ベルトチャンバの中に位置した正プーリが設置され、前記正プーリと前記副プーリとの間には送出ベルトが伝動可能に設置され、前記回転軸のうち前記伝動チャンバに近接した端には前記下傘歯車と噛み合った副傘歯車が設置されている。
【００１１】
優選的に、前記土掘り装置は前記スライドチャンバの中に設置された延伸軸を含み、前記延伸軸の底端には前記伝動チャンバの中に位置した従動プーリが設置され、前記従動プーリと前記駆動プーリとの間には伝動ベルトが伝動可能に設置され、前記延伸軸の頂端には左歯車が設置され、前記スライドチャンバの中には土掘り軸が設置され、前記土掘り軸の外壁には前記左歯車と噛み合える右歯車が設置され、前記土掘り軸の外壁には前記スライドチャンバの外壁の外の位置した土掘り羽根が設置され、また、前記土掘り羽根はより深いところにある土壌を掘り出し、徹底的に改良作業を行える。
【００１２】
優選的に、前記収納装置は前記スライドチャンバの中にスライド可能に設置されたスライドブロックを含み、前記土掘り軸は前記スライドブロックの底端に回転可能に設置され、前記スライドチャンバの中には前記スライドブロックの上下スライドを制御できるネジボルトが設置され、前記ネジボルトと前記スライドブロックとはネジ山によって連結され、前記ネジボルトの頂端と前記スライドチャンバの頂壁の中に固定的に設置されたスライドモータとは伝動可能に連結され、前記旋転チャンバの中には前記回転管の回転を制御できる旋転軸が設置され、前記旋転軸の後端と前記回転管とは固定的に連結され、前記旋転軸の前端には従傘歯車が設置され、前記旋転チャンバの中には収納軸が設置され、前記収納軸の底端と前記旋転チャンバの底壁の中に固定的に設置された回転モータとは伝動可能に連結され、前記収納軸の頂端には前記従傘歯車と噛み合った主傘歯車が設置されている。
【００１３】
優選的に、前記土壌洗浄機は発動機又は油圧モータによって前記動力軸の回転を駆動でき、前記進行機は発動機又は油圧モータによって前記双方向変速器の回転を駆動できる。
【発明の効果】
【００１４】
本発明のメリットは：本発明はシンプルな構成と、簡単な操作方法を有し、メンテナンスも便利であり、当該設備を利用し、効率よく地面表層の土壌の塩分量を下げられ、且つ自動的により深い位置にある土壌を掘り出し、土層を緩められ、作業員の負担を減らし、土壌洗浄の効率を上げ、従って、当該設備には高い使用と普及価値がある。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明のアルカリ性土壌の回復設備が非作動状態にある時の外部略図
【図２】図２は図１におけるＡ―Ａの構成略図
【図３】図３は図２におけるＢ―Ｂの構成略図
【図４】図４は本発明のアルカリ性土壌の回復設備が作動状態にある時の全体構成略図
【発明を実施するための形態】
【００１７】
本発明のアルカリ性土壌の回復設備は、主にアルカリ性土壌の改良に適応され、以下に付図を合わせて本発明について説明する：
【００１８】
本発明のアルカリ性土壌の回復設備は、主体１１を含み、前記主体１１の中には洗浄チャンバ６９が設置され、前記洗浄チャンバ６９の中には洗浄装置１００が設置され、前記洗浄チャンバ６９の左壁の中には前記洗浄チャンバ６９と連通した旋転チャンバ２８が設置され、前記旋転チャンバ２８の中には回転可能な回転管１２が五つ設置され、ここで一つの前記回転管１２を例として詳しく説明し、前記回転管１２の中には土壌を輸送できる輸送チャンバ２９が設置され、前記輸送チャンバ２９の中にはアルカリ性土壌の表面土壌を前記洗浄装置１００の中に輸送できる輸送装置２００が設置され、それにより、土壌の塩分量を下げるに便利であり、また、五つの前記輸送装置２００は歯車によって動力を伝達でき、前記洗浄チャンバ６９の右壁の中には伝動チャンバ５８が設置され、前記伝動チャンバ５８の中には動力を伝達できる伝動装置８００が設置され、前記洗浄チャンバ６９の中には塩分量を下げられた土壌を送り出せる送出装置４００が設置され、それにより、前記洗浄チャンバ６９の容積利用率を高め、前記伝動チャンバ５８の頂壁の中には転換チャンバ４０が設置され、前記転換チャンバ４０の右壁の中には動力チャンバ４４が設置され、前記動力チャンバ４４の中には動力を生み出せる動力装置３００が設置され、前記動力チャンバ４４の右壁の中にはスライドチャンバ５３が設置され、前記スライドチャンバ５３の中には土掘り装置５００が五つ設置され、前記伝動装置８００が動力を前記土掘り装置５００の中に伝達し、前記土掘り装置５００の回転を連動させ、より深いところにある土壌を掘り出し、徹底的な改良作業に便利であり、また、五つの前記土掘り装置５００は歯車によって動力を伝達でき、前記主体１１の中には収納装置６００が設置され、非作動状態に前記輸送装置２００と前記土掘り装置５００とを収納させるのに便利であり、前記洗浄チャンバ６９の底壁の中には前後対称の進行チャンバ７０が設置され、ここで前側の前記進行チャンバ７０を例として詳しく説明し、前記進行チャンバ７０の中には当該設備を進行させることができる進行装置７００が設置されている。
【００１９】
前記進行装置７００は前記進行チャンバ７０の中には設置された左右対称の進行軸１６を含み、左右両側の前記進行軸１６はチェーンの伝動によって動力を伝達でき、また、左側の前記進行軸１６のうち前記進行チャンバ７０から離れた端と前記進行チャンバ７０の内壁の中にある双方向変速器１９とは伝動可能に連結され、前記双方向変速器１９と前記進行チャンバ７０の内壁の中にある進行機２０とは伝動可能に連結され、前記進行軸１６のうち前記進行チャンバ７０に近接した端には設備を駆動して前進させる進行輪１５が設置され、前記進行チャンバ７０の中には設備の重量を負うことができる荷重輪１７が七つ設置され、前記進行輪１５と前記荷重輪１７との間には設備の圧力を下げることができる履帯１８が伝動可能に設置されている。
【００２０】
前記動力装置３００は前記動力チャンバ４４の中に設置された動力軸４３を含み、前記動力軸４３の右端と前記動力チャンバ４４の右壁の中に固定的に設置された土壌洗浄機４７とは伝動可能に連結され、前記動力軸４３の外壁には前記動力チャンバ４４の中に位置した伝動傘歯車４６が設置され、前記動力軸４３の左端には前記転換チャンバ４０の中に位置した動力傘歯車３９が設置され、前記動力軸４３の外壁には前記転換チャンバ４０の中に位置した駆動歯車４２が設置され、
前記伝動装置８００は前記伝動チャンバ５８の中に設置された伝動軸５９を含み、前記伝動軸５９の頂端には前記動力チャンバ４４の中に位置し、且つ前記伝動傘歯車４６と噛み合った上傘歯車４５が設置され、前記伝動軸５９の外壁には前記伝動チャンバ５８の中に位置した駆動プーリ６０が設置され、前記伝動軸５９の底端には前記伝動チャンバ５８の中に位置した下傘歯車６１が設置され、
前記伝動装置８００は前記動力装置３００が生み出した動力を前記送出装置４００と前記土掘り装置５００との中に伝達できる。  
【００２１】
前記輸送装置２００は前記輸送チャンバ２９の中に設置された輸送軸３０を含み、前記輸送軸３０の外壁には表層土壌を掘り出し、且つ土壌を輸送できる輸送羽根１３が設置され、前記輸送軸３０のうち前記輸送チャンバ２９から離れた端には前記旋転チャンバ２８の中に位置した副歯車３４が設置され、前記旋転チャンバ２８の中には従動軸３２が設置され、前記従動軸３２のうち前記旋転チャンバ２８に近接した端には前記副歯車３４と噛み合える正歯車３１が設置され、前記転換チャンバ４０の中には駆動軸３３が設置され、前記駆動軸３３の右端には前記駆動歯車４２と噛み合った従動歯車４１が設置され、前記駆動軸３３と前記従動軸３２とはヒンジで連結されている。
【００２２】
前記洗浄装置１００は前記洗浄チャンバ６９の中に設置された空心軸３５を含み、前記空心軸３５の底端には土壌溶液を正方向で攪拌できる第一攪拌棒２７が設置され、前記空心軸３５の頂端には前記転換チャンバ４０の中に位置し、且つ前記動力傘歯車３９と噛み合った正傘歯車３８が設置され、前記空心軸３５の中には中心軸３７が回転可能に設置され、前記中心軸３７の底端には前記洗浄チャンバ６９の中に位置し、且つ逆方向で土壌溶液を攪拌できる第二攪拌棒２２が設置され、前記中心軸３７の頂端には前記転換チャンバ４０の中に位置し、且つ前記動力傘歯車３９と噛み合った負傘歯車３６が設置され、前記第二攪拌棒２２と前記第一攪拌棒２７とは同期的に、且つ反対した方向へ回転し、それにより、土壌の塩分量を充分に減少させる。
【００２３】
前記送出装置４００は前記洗浄チャンバ６９の中に設置された送出軸６２を含み、前記送出軸６２の外壁には前記洗浄チャンバ６９を閉鎖でき、且つ土壌を前記洗浄チャンバ６９の外壁に送り出せる送出羽根７１が設置され、前記洗浄チャンバ６９のうち前記伝動チャンバ５８に近接した側の内壁の中にはベルトチャンバ６８が設置され、前記送出軸６２のうち前記ベルトチャンバ６８に近接した端には前記ベルトチャンバ６８の中に位置した副プーリ６７が設置され、前記伝動チャンバ５８の中には回転軸６４が設置され、前記回転軸６４のうち前記伝動チャンバ５８から離れた端には前記ベルトチャンバ６８の中に位置した正プーリ６５が設置され、前記正プーリ６５と前記副プーリ６７との間には送出ベルト６６が伝動可能に設置され、前記回転軸６４のうち前記伝動チャンバ５８に近接した端には前記下傘歯車６１と噛み合った副傘歯車６３が設置されている。
【００２４】
前記土掘り装置５００は前記スライドチャンバ５３の中に設置された延伸軸５５を含み、前記延伸軸５５の底端には前記伝動チャンバ５８の中に位置した従動プーリ５６が設置され、前記従動プーリ５６と前記駆動プーリ６０との間には伝動ベルト５７が伝動可能に設置され、前記延伸軸５５の頂端には左歯車５４が設置され、前記スライドチャンバ５３の中には土掘り軸５１が設置され、前記土掘り軸５１の外壁には前記左歯車５４と噛み合える右歯車５２が設置され、前記土掘り軸５１の外壁には前記スライドチャンバ５３の外壁の外の位置した土掘り羽根１４が設置され、また、前記土掘り羽根１４はより深いところにある土壌を掘り出し、徹底的に改良作業を行える。
【００２５】
前記収納装置６００は前記スライドチャンバ５３の中にスライド可能に設置されたスライドブロック５０を含み、前記土掘り軸５１は前記スライドブロック５０の底端に回転可能に設置され、前記スライドチャンバ５３の中には前記スライドブロック５０の上下スライドを制御できるネジボルト４９が設置され、前記ネジボルト４９と前記スライドブロック５０とはネジ山によって連結  され、前記ネジボルト４９の頂端と前記スライドチャンバ５３の頂壁の中に固定的に設置されたスライドモータ４８とは伝動可能に連結され、前記旋転チャンバ２８の中には前記回転管１２の回転を制御できる旋転軸２６が設置され、前記旋転軸２６の後端と前記回転管１２とは固定的に連結され、前記旋転軸２６の前端には従傘歯車２５が設置され、前記旋転チャンバ２８の中には収納軸２３が設置され、前記収納軸２３の底端と前記旋転チャンバ２８の底壁の中に固定的に設置された回転モータ２１とは伝動可能に連結され、前記収納軸２３の頂端には前記従傘歯車２５と噛み合った主傘歯車２４が設置されている。
【００２６】
前記土壌洗浄機４７は発動機又は油圧モータによって前記動力軸４３の回転を駆動でき、前記進行機２０は発動機又は油圧モータによって前記双方向変速器１９の回転を駆動できる。
【００２７】
下記に附図を合わせて、本発明の使用手順について詳しく説明する：
【００２８】
初期状態で、副歯車３４と正歯車３１とは係合状態から離脱しており、スライドブロック５０はスライドチャンバ５３の最頂端にあり、右歯車５２と左歯車５４とは係合状態から離脱している。
【００２９】
当該設備を利用する時に、進行機２０が作動しはじめ、且つ双方向変速器１９と、進行軸１６と、進行輪１５とによって履帯１８の回転を連動させ、それにより、設備の進行を駆動できる。
【００３０】
同時に、回転モータ２１が作動しはじめ、且つ収納軸２３と、主傘歯車２４と、従傘歯車２５と、旋転軸２６とによって回転管１２の回転を連動させ、回転管１２が限界位置に回転した時に、副歯車３４と正歯車３１とは噛み合い、回転モータ２１は作動を止め、同時に、スライドモータ４８が作動しはじめ、且つネジボルト４９によってスライドブロック５０を連動させて下へ滑らせ、それにより、土掘り軸５１によって土掘り羽根１４を連動させて下へ滑らせ、スライドブロック５０が限界位置に滑った時に、右歯車５２と左歯車５４とは噛み合い、前記スライドモータ４８は作動を止める。
【００３１】
同時に、土壌洗浄機４７が作動しはじめ、且つ動力軸４３によって伝動傘歯車４６と、駆動歯車４２と、動力傘歯車３９との回転を連動させ、それにより、伝動傘歯車４６は上傘歯車４５と伝動軸５９とによって駆動プーリ６０と下傘歯車６１との回転を連動させ、駆動歯車４２は従動歯車４１と、駆動軸３３と、従動軸３２と、正歯車３１と、副歯車３４と、輸送軸３０とによって輸送羽根１３の回転を連動させ、輸送羽根１３は表層の土壌を掘り出し、輸送チャンバ２９によって土壌を前記洗浄チャンバ６９の中に輸送し、同時に、動力傘歯車３９は正傘歯車３８と空心軸３５とによって第一攪拌棒２７を一つの方向へ回転連動させ、同時に、動力傘歯車３９は負傘歯車３６と中心軸３７とによって第二攪拌棒２２を逆方向へ回転連動させ、土壌と洗浄チャンバ６９の中にある溶液とを充分に混和させ、素早く土壌の塩分量を減少し、下傘歯車６１は副傘歯車６３と、回転軸６４と、正プーリ６５と、副プーリ６７と、送出軸６２によって送出羽根７１の回転を連動させ、塩分量が減少した土壌を送り出し、同時に、駆動プーリ６０は従動プーリ５６と、延伸軸５５と、左歯車５４と、右歯車５２と、土掘り軸５１とによって土掘り羽根１４の回転を連動させ、より深いところにある土壌を掘り出す。
【００３２】
本発明のメリットは：本発明はシンプルな構成と、簡単な操作方法を有し、メンテナンスも便利であり、当該設備を利用し、効率よく地面表層の土壌の塩分量を下げられ、且つ自動的により深い位置にある土壌を掘り出し、土層を緩められ、作業員の負担を減らし、土壌洗浄の効率を上げ、従って、当該設備には高い使用と普及価値がある。
【００３３】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020182928.tif 000003
【図２】
2020182928.tif 000004
【図３】
2020182928.tif 000005
【図４】
2020182928.tif 000006
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の中には洗浄チャンバが設置され、前記洗浄チャンバの中には洗浄装置が設置され、
前記洗浄チャンバの左壁の中には前記洗浄チャンバと連通した旋転チャンバが設置され、前記旋転チャンバの中には回転可能な回転管が五つ設置され、ここで一つの前記回転管を例として詳しく説明し、前記回転管の中には土壌を輸送できる輸送チャンバが設置され、前記輸送チャンバの中にはアルカリ性土壌の表面土壌を前記洗浄装置の中に輸送できる輸送装置が設置され、前記洗浄チャンバの右壁の中には伝動チャンバが設置され、前記伝動チャンバの中には動力を伝達できる伝動装置が設置され、前記洗浄チャンバの中には塩分量を下げられた土壌を送り出せる送出装置が設置され、
前記伝動チャンバの頂壁の中には転換チャンバが設置され、前記転換チャンバの右壁の中には動力チャンバが設置され、前記動力チャンバの中には動力を生み出せる動力装置が設置され、前記動力チャンバの右壁の中にはスライドチャンバが設置され、前記スライドチャンバの中には土掘り装置が五つ設置され、
前記主体の中には収納装置が設置され、非作動状態に前記輸送装置と前記土掘り装置とを収納させるのに便利であり、
前記洗浄チャンバの底壁の中には前後対称の進行チャンバが設置され、ここで前側の前記進行チャンバを例として詳しく説明し、前記進行チャンバの中には当該設備を進行させることができる進行装置が設置され、
前記進行装置は前記進行チャンバの中には設置された左右対称の進行軸を含み、左右両側の前記進行軸はチェーンの伝動によって動力を伝達でき、また、左側の前記進行軸のうち前記進行チャンバから離れた端と前記進行チャンバの内壁の中にある双方向変速器とは伝動可能に連結され、前記双方向変速器と前記進行チャンバの内壁の中にある進行機とは伝動可能に連結され、前記進行軸のうち前記進行チャンバに近接した端には設備を駆動して前進させる進行輪が設置され、前記進行チャンバの中には設備の重量を負うことができる荷重輪が七つ設置され、前記進行輪と前記荷重輪との間には設備の圧力を下げることができる履帯が伝動可能に設置され、
前記動力装置は前記動力チャンバの中に設置された動力軸を含み、前記動力軸の右端と前記動力チャンバの右壁の中に固定的に設置された土壌洗浄機とは伝動可能に連結され、前記動力軸の外壁には前記動力チャンバの中に位置した伝動傘歯車が設置され、前記動力軸の左端には前記転換チャンバの中に位置した動力傘歯車が設置され、前記動力軸の外壁には前記転換チャンバの中に位置した駆動歯車が設置され、
前記伝動装置は前記伝動チャンバの中に設置された伝動軸を含み、前記伝動軸の頂端には前記動力チャンバの中に位置し、且つ前記伝動傘歯車と噛み合った上傘歯車が設置され、前記伝動軸の外壁には前記伝動チャンバの中に位置した駆動プーリが設置され、前記伝動軸の底端には前記伝動チャンバの中に位置した下傘歯車が設置され、
前記輸送装置は前記輸送チャンバの中に設置された輸送軸を含み、前記輸送軸の外壁には表層土壌を掘り出し、且つ土壌を輸送できる輸送羽根が設置され、前記輸送軸のうち前記輸送チャンバから離れた端には前記旋転チャンバの中に位置した副歯車が設置され、前記旋転チャンバの中には従動軸が設置され、前記従動軸のうち前記旋転チャンバに近接した端には前記副歯車と噛み合える正歯車が設置され、前記転換チャンバの中には駆動軸が設置され、前記駆動軸の右端には前記駆動歯車と噛み合った従動歯車が設置され、前記駆動軸と前記従動軸とはヒンジで連結され、
前記洗浄装置は前記洗浄チャンバの中に設置された空心軸を含み、前記空心軸の底端には土壌溶液を正方向で攪拌できる第一攪拌棒が設置され、前記空心軸の頂端には前記転換チャンバの中に位置し、且つ前記動力傘歯車と噛み合った正傘歯車が設置され、前記空心軸の中には中心軸が回転可能に設置され、前記中心軸の底端には前記洗浄チャンバの中に位置し、且つ逆方向で土壌溶液を攪拌できる第二攪拌棒が設置され、前記中心軸の頂端には前記転換チャンバの中に位置し、且つ前記動力傘歯車と噛み合った負傘歯車が設置され、
前記送出装置は前記洗浄チャンバの中に設置された送出軸を含み、前記送出軸の外壁には前記洗浄チャンバを閉鎖でき、且つ土壌を前記洗浄チャンバの外壁に送り出せる送出羽根が設置され、前記洗浄チャンバのうち前記伝動チャンバに近接した側の内壁の中にはベルトチャンバが設置され、前記送出軸のうち前記ベルトチャンバに近接した端には前記ベルトチャンバの中に位置した副プーリが設置され、前記伝動チャンバの中には回転軸が設置され、前記回転軸のうち前記伝動チャンバから離れた端には前記ベルトチャンバの中に位置した正プーリが設置され、前記正プーリと前記副プーリとの間には送出ベルトが伝動可能に設置され、前記回転軸のうち前記伝動チャンバに近接した端には前記下傘歯車と噛み合った副傘歯車が設置され、
前記土掘り装置は前記スライドチャンバの中に設置された延伸軸を含み、前記延伸軸の底端には前記伝動チャンバの中に位置した従動プーリが設置され、前記従動プーリと前記駆動プーリとの間には伝動ベルトが伝動可能に設置され、前記延伸軸の頂端には左歯車が設置され、前記スライドチャンバの中には土掘り軸が設置され、前記土掘り軸の外壁には前記左歯車と噛み合える右歯車が設置され、前記土掘り軸の外壁には前記スライドチャンバの外壁の外の位置した土掘り羽根が設置され、
前記収納装置は前記スライドチャンバの中にスライド可能に設置されたスライドブロックを含み、前記土掘り軸は前記スライドブロックの底端に回転可能に設置され、前記スライドチャンバの中には前記スライドブロックの上下スライドを制御できるネジボルトが設置され、前記ネジボルトと前記スライドブロックとはネジ山によって連結され、前記ネジボルトの頂端と前記スライドチャンバの頂壁の中に固定的に設置されたスライドモータとは伝動可能に連結され、
前記旋転チャンバの中には前記回転管の回転を制御できる旋転軸が設置され、前記旋転軸の後端と前記回転管とは固定的に連結され、前記旋転軸の前端には従傘歯車が設置され、前記旋転チャンバの中には収納軸が設置され、前記収納軸の底端と前記旋転チャンバの底壁の中に固定的に設置された回転モータとは伝動可能に連結され、前記収納軸の頂端には前記従傘歯車と噛み合った主傘歯車が設置され、
前記土壌洗浄機は発動機又は油圧モータによって前記動力軸の回転を駆動でき、
前記進行機は発動機又は油圧モータによって前記双方向変速器の回転を駆動できることを特徴とするアルカリ性土壌の回復設備。